(57)【要約】【課題】貯蔵安定性に優れるとともに、スケール洗浄性に優れ、従来の酸性ＣＩＰ用洗浄剤組成物が有していた金属に対する腐食性とゴムに対する腐食性の問題を同時に解決できる酸性洗浄剤組成物を提供する。【解決手段】本発明の酸性洗浄剤組成物は、（Ａ）成分としてクエン酸、（Ｂ）成分として硫酸ナトリウムを含有し、（Ａ）成分と（Ｂ）成分の質量比が、（Ｂ）／（Ａ）＝０．０１〜９であることを特徴とする。【選択図】なし【特許請求の範囲】
【請求項１】
（Ａ）成分としてクエン酸、（Ｂ）成分として硫酸ナトリウムを含有し、（Ａ）成分と（Ｂ）成分の質量比が、（Ｂ）／（Ａ）＝０．０１〜９であることを特徴とする酸性洗浄剤組成物。
【請求項２】
さらに、（Ｃ）成分としてノニオン界面活性剤を含有することを特徴とする請求項１に記載の酸性洗浄剤組成物。
【請求項３】
上記酸性洗浄剤組成物が粉末、顆粒、錠剤等の固体状であることを特徴とする請求項１又は２記載の酸性洗浄剤組成物。
【請求項４】
上記酸性洗浄剤組成物がＣＩＰ洗浄用であることを特徴とする請求項１〜３のいずれか一項に記載の酸性洗浄剤組成物。
【発明の詳細な説明】
【技術分野】
【０００１】
本発明は、酸性洗浄剤組成物に関する。詳しくは、食品、飲料、製薬工場等の製造設備や製造機器類の洗浄に使用する酸性洗浄剤組成物に関する。
【背景技術】
【０００２】
食品工場、飲料工場等では、その製造設備や製造機器類のためにＣＩＰ洗浄によって洗浄を行っている。ＣＩＰ洗浄とは“Ｃｌｅａｎｉｎｇ  ｉｎ  ｐｌａｃｅ”の頭文字をとったもので、製造設備や製造機器類を分解することなく、そのままの状態で洗浄液を流通させてその内部を満たして循環させたり、さらには洗浄液をスプレーしたりして、残留汚れを洗浄・除去する洗浄方法であり、定置洗浄又は定置循環洗浄とも呼ばれている。このＣＩＰ洗浄には、アルカリ洗浄剤、酸洗浄剤、さらには殺菌剤などが使用されている。一般に、１．水洗浄、２．アルカリ洗浄、３．水すすぎ、４．酸洗浄、５．水すすぎ、６．殺菌、７．水すすぎという工程で行われているが、洗浄剤の配合成分、汚れの種類や状態に応じて、一部が省略されたり、順序が変更されたり、あるいは同じ工程が繰り返し実施される場合もある。また、対象となる汚れは食品残渣であり、タンパク質、油脂及び炭水化物などの有機質汚れ、炭酸カルシウム、燐酸カルシウム及びケイ酸カルシウムなどの無機質汚れが挙げられる。さらに有機質汚れについては殺菌機などで見られる加熱変性した強固なものや、麺類の茹でラインなどに発生する麺由来のデンプンが糊化し強固に付着したものなどが存在する。
【０００３】
ＣＩＰ洗浄に際して、酸洗浄工程に用いる酸として、従来、硝酸が広く利用されていた。しかし、硝酸は強酸であり、また酸化力を有する。このため、例えば、製造設備、配管ライン中、配管連結部、熱交換器、充填機などをＣＩＰ洗浄する際に、設備等に使用されているゴムパッキンにヒビ割れや硬化が生じ、ゴムパッキンを腐食する等の影響を及ぼす虞があった。
【０００４】
そこで、近年、食品製造設備のＣＩＰ洗浄における酸洗浄工程において、硝酸の代わりにスルファミン酸を用い、スルファミン酸を安定化させるための尿素と併用した酸洗浄剤組成物が提案されている（例えば、特許文献１）。また、飲料水配管から固形沈積物を除去する目的として、スルファミン酸、メタンスルホン酸、ホスホノブタン−トリカルボン酸、２−プロパノールを特定の割合で含む洗浄剤が有効であると提案されている（特許文献２）。さらに、メタンスルホン酸、硝酸及びリン酸を含む茹で麺装置用酸洗浄剤（特許文献３）や、硬質材料表面に付着したスケールを除去する酸性洗浄剤として、メタンスルホン酸とクエン酸等のヒドロキシカルボン酸との混合物を用いることも提案されている（特許文献４、５）。
【先行技術文献】
【特許文献】
【０００５】
【特許文献１】特開２００４−２１７８２７号公報
【特許文献２】特開２００８−２６６５６２号公報
【特許文献３】特開２０１１−３２３９６号公報
【特許文献４】特開２０１３−３１８２３号公報
【特許文献５】特開２０１３−２０９８０７号公報
【発明の概要】
【発明が解決しようとする課題】
【０００６】
しかしながら、特許文献１〜３に記載されている洗浄剤は、ゴムパッキンに対してヒビ割れや硬化等の影響を及ぼす虞や、設備等に用いられるステンレス材質に対して腐食を及ぼす虞があった。また、特許文献４に記載されている酸性洗浄剤は、金属腐食防止性はないものの、高濃縮化すると貯蔵安定性が低下し、容易に高濃度の洗浄剤とすることができないため、製造、容器及び輸送費用などのコスト、加えてそれに伴う二酸化炭素排出量削減などの点で、満足のいくものではなかった。しかも、ＣＩＰ洗浄工程では、特許文献４に記載されているような、酸洗浄処理とアルカリ洗浄処理の間で乾燥処理を施すと、酸洗浄液やアルカリ洗浄液によって一旦洗浄された汚れが乾燥処理工程後に設備に付着残留してしまうという問題がある。さらに特許文献５では、メタンスルホン酸、クエン酸を組み合わせることで、スケール洗浄性、ゴムパッキン適合性、金属腐食防止性に優れ、且つ高濃度としても貯蔵安定性が良好な酸性ＣＩＰ用洗浄剤組成物が提案されているが、メタンスルホン酸が高価であるため、経済性に劣る問題があった。
従って、本発明においては、洗浄性、ゴムパッキン適合性、金属腐食防止性に優れ、さらに経済性に優れる酸性洗浄剤を提供することにある。
【課題を解決するための手段】
【０００７】
上記課題を解決するために、本発明者は鋭意検討した結果、クエン酸と硫酸ナトリウムという特定の化合物を選択し、クエン酸に対して硫酸ナトリウムを特定の比率で組みあわせることで、貯蔵安定性に優れるとともに、スケール洗浄性にも優れ、従来の酸性ＣＩＰ用洗浄剤組成物が有していた金属に対する腐食性とゴムに対する腐食性の問題を同時に解決できることを見出し、本発明を完成するに至った。
【０００８】
即ち本発明は、
（１）（Ａ）成分としてクエン酸、（Ｂ）成分として硫酸ナトリウムを含有し、（Ａ）成分と（Ｂ）成分の質量比が、（Ｂ）／（Ａ）＝０．０１〜９であることを特徴とする酸性洗浄剤組成物。
（２）さらに、（Ｃ）成分としてノニオン界面活性剤を含有することを特徴とする（１）の酸性洗浄剤組成物。
（３）上記酸性洗浄剤組成物が粉末、顆粒、錠剤等の固体状であることを特徴とする（１）又は（２）の酸性洗浄剤組成物。
（４）上記酸性洗浄剤組成物がＣＩＰ洗浄用であることを特徴とする（１）〜（３）のいずれかに記載の酸性洗浄剤組成物。
を要旨とするものである。
【発明の効果】
【０００９】
本発明の酸性洗浄剤組成物は、スケール洗浄性、デンプン洗浄性、ゴムパッキン適合性、金属腐食防止性に優れ、且つ貯蔵安定性が良好である等の効果を奏する。
【発明を実施するための形態】
【００１０】
本発明の酸性洗浄剤組成物は、（Ａ）成分としてクエン酸、（Ｂ）成分として硫酸ナトリウムを含有し、（Ａ）成分のクエン酸は１０〜９９質量％含有することができ、２０〜８０質量％含有することが好ましく、３０〜７５質量％含有することがより好ましい。１０質量％未満ではスケール洗浄性に劣り、９９質量％を超えると金属腐食防止性が劣る虞がある。
本発明の酸性洗浄剤組成物は、（Ａ）成分と（Ｂ）成分の質量比が、（Ｂ）／（Ａ）＝０．０１〜９であるが、（Ｂ）／（Ａ）＝０．２５〜４であることがより好ましい。（Ｂ）／（Ａ）が０．０１未満であると金属腐食防止性が劣る場合があり、（Ｂ）／（Ａ）が９を超えると、炭酸カルシウムに対するスケール洗浄性が低下する場合がある。
【００１１】
本発明の酸性洗浄剤組成物は、更に（Ｃ）成分としてノニオン界面活性剤を配合することができる。（Ｃ）成分であるノニオン界面活性剤を配合する場合、（Ｃ）／（Ａ）＝０．００１〜０．１質量部配合することが好ましい。（Ｃ）／（Ａ）が０．００１未満であると、有機質汚れに対する洗浄性が得られない場合があり、（Ｃ）／（Ａ）が０．１を超えると泡立ちが多くなる虞があり、ＣＩＰ洗浄には適さない。（Ｃ）成分のノニオン界面活性剤としては、ポリオキシアルキレンアルキルエーテル、ポリオキシアルキレンジアルキルエーテル、ポリオキシアルキレンアルキルエステル、ポリオキシアルキレンアルキルジエステル、ポリオキシアルキレンアルキルアリールエーテル、グリセリン脂肪酸エステル又はそのエチレンオキサイド付加物、ポリグリセリン脂肪酸エステル、ソルビタン脂肪酸エステル、ポリオキシエチレンソルビタン脂肪酸エステル、ポリオキシエチレンソルビット脂肪酸エステル、ポリオキシエチレングリコール脂肪酸エステル、ポリオキシエチレンポリオキシプロピレンアルキルエーテル、ポリオキシエチレンヒマシ油エーテル、ポリオキシエチレン硬化ヒマシ油エーテル、ポリオキシエチレンアルキルアミン、高級脂肪酸アルカノールアミド、アルキルグリコシド、アルキルアミンオキサイド等が挙げられる。これらの中でも、泡立ちが少ない点から、ポリオキシエチレンアルキルエーテル、ポリオキシエチレンアルケニルエーテル、ポリオキシエチレンポリオキシプロピレンアルキルエーテル、エチレンオキシドとプロピレンオキシドのランダム或いはブロック付加体等のポリアルキレンオキサイド付加物が好ましい。（Ｃ）成分のノニオン界面活性剤は、本発明の酸性洗浄剤組成物中に０．０１〜２質量％含有することができ、０．１〜１．５質量％含有することが好ましく、０．５〜１質量％含有することがより好ましい。０．０１質量％未満では抑泡性が劣る虞があり、２質量％を超えると酸洗浄剤がノニオン界面活性剤（特に、液状のノニオン界面活性剤）を吸収し、塊を生じてしまうため均一な形状を維持できない虞がある。
【００１２】
本発明の酸性洗浄剤組成物は、本発明の効果が損なわない範囲で、酸性ＣＩＰ用洗浄剤組成物の製剤形態に応じて、当該技術分野で通常使用される成分を含有してもよい。このような成分としては、例えば、（Ａ）成分以外のその他の酸成分や、（Ｄ）有機ホスホン酸、（Ｅ）アニオン界面活性剤、（Ｆ）カチオン界面活性剤、（Ｇ）両性界面活性剤等の界面活性剤、（Ｈ）増粘剤、消泡剤、有機溶剤、香料、色素、防腐剤等が挙げられる。
【００１３】
（Ａ）成分以外のその他の酸成分としては、例えば、リン酸、グリコール酸、乳酸、リンゴ酸、グルコン酸、酒石酸、シュウ酸、マロン酸、コハク酸、酢酸、イセチオン酸、アジピン酸等が挙げられる。
【００１４】
（Ｄ）成分の有機ホスホン酸としては、分子内に少なくとも１つ以上のホスホン酸基を含む化合物であり、具体的には、メチルジホスホン酸、エチリデンジホスホン酸、１−ヒドロキシエチリデン−１，１−ジホスホン酸、１−ヒドロキシプロピリデン−１，１−ジホスホン酸、１−ヒドロキシブチリデン−１，１−ジホスホン酸、エチルアミノビス（メチレンホスホン酸）、ドデシルアミノビス（メチレンホスホン酸）、エチレンジアミンビス（メチレンホスホン酸）、アミノトリ（メチレンホスホン酸）、エチレンジアミンテトラ（メチレンホスホン酸）、１，２−プロピレンジアミンテトラ（メチレンホスホン酸）、ヘキサメチレンジアミンテトラ（メチレンホスホン酸）、シクロヘキサンジアミンテトラ（メチレンホスホン酸）、グリコールエーテルジアミンテトラ（メチレンホスホン酸）、ジエチレントリアミンペンタ（メチレンホスホン酸）、トリエチレンテトラミンヘキサ（メチレンホスホン酸）、トリ（２−アミノエチル）アミンヘキサ（メチレンホスホン酸）、テトラエチレンペンタミンヘプタ（メチレンホスホン酸）、ペンタエチレンヘキサミンオクタ（メチレンホスホン酸）、２−ホスホノブタン−１，２，４−トリカルボン酸、アミノトリメチレンホスホン酸等が挙げられ、これらの中でも、スケール洗浄性の点から、１−ヒドロキシエチリデン−１，１−ジホスホン酸、２−ホスホノブタン−１，２，４−トリカルボン酸、アミノトリ（メチレンホスホン酸）、エチレンジアミンテトラ（メチレンホスホン酸）が好ましい。
【００１５】
（Ｅ）成分のアニオン界面活性剤としては、例えば、高級アルコール硫酸エステル塩、硫化オレフィン塩、高級アルキルスルホン酸塩、α−オレフィンスルホン酸塩、硫酸化脂肪酸塩、スルホン化脂肪酸塩、リン酸エステル塩、脂肪酸エステルの硫酸エステル塩、グリセライド硫酸エステル塩、脂肪酸エステルのスルホン酸塩、α−スルホ脂肪酸メチルエステル塩、ポリオキシアルキレンアルキルエーテル硫酸エステル塩、ポリオキシアルキレンアルキルフェニルエーテル硫酸エステル塩、脂肪酸アルカノールアミド又はそのアルキレンオキサイド付加物の硫酸エステル塩、スルホコハク酸エステル、アルキルベンゼンスルホン酸塩、アルキルナフタレンスルホン酸塩、アルキルベンゾイミダゾールスルホン酸塩、Ｎ−アシル−Ｎ−メチルタウリンの塩、アシルオキシエタンスルホン酸塩、アルコキシエタンスルホン酸、Ｎ−アシル−Ｎ−カルボキシエチルタウリン又はその塩、及びアルキル又はアルケニルアミノカルボキシメチル硫酸塩等を挙げることができる。
【００１６】
（Ｆ）成分のカチオン界面活性剤としては、例えば、アルキルトリメチルアンモニウム塩、アルケニルトリメチルアンモニウム塩、ジアルキルジメチルアンモニウム塩、ジアルケニルジメチルアンモニウム塩、アルキル四級アンモニウム塩、アルケニル四級アンモニウム塩、エーテル基或いはエステル基或いはアミド基を含有するモノ或いはジアルキル四級アンモニウム塩、モノ或いはジアルケニル四級アンモニウム塩、アルキルピリジニウム塩、アルケニルピリジニウム塩、アルキルジメチルベンジルアンモニウム塩、アルケニルジメチルベンジルアンモニウム塩、アルキルイソキノリニウム塩、アルケニルイソキノリニウム塩、ジアルキルモルホニウム塩、ジアルケニルモルホニウム塩、ポリオキシエチレンアルキルアミン、ポリオキシエチレンアルケニルアミン、アルキルアミン塩、アルケニルアミン塩、ポリアミン脂肪酸誘導体、アミルアルコール脂肪酸誘導体、塩化ベンザルコニウム、塩化ベンゼトニウム等が挙げられる。
【００１７】
（Ｇ）成分の両性界面活性剤としては、例えば、ラウリルジメチルベタイン、ラウリルジエチルベタイン、ステアリルジメチルベタイン、オレイルジメチルベタイン、ラウリルジヒドロキシエチルベタイン等のアルキルベタイン型両性界面活性剤；Ｎ−ヤシ脂肪酸アシル−Ｎ−カルボキシメチル−Ｎ−ヒドロキシエチルエチレンジアミンナトリウム（２−ヤシアルキル−Ｎ−カルボキシメチル−Ｎ−ヒドロキシエチルイミダゾリウムベタイン）、Ｎ−ヤシ脂肪酸アシル−Ｎ−カルボキシエチル−Ｎ−ヒドロキシエチルエチレンジアミンナトリウム、Ｎ−牛脂脂肪酸アシル−Ｎ−カルボキシメチル−Ｎ−ヒドロキシエチルエチレンジアミンナトリウム、Ｎ−牛脂脂肪酸アシル−Ｎ−カルボキシエチル−Ｎ−ヒドロキシエチルエチレンジアミンナトリウム等のイミダゾリウムベタイン型両性界面活性剤；ラウリン酸アミドプロピルベタイン、ステアリン酸アミドプロピルベタイン、オレイン酸アミドプロピルベタイン等のアミドプロピルベタイン型両性界面活性剤；ラウリルアミノプロピオン酸ナトリウム、オレイルアミノプロピオン酸ナトリウム、ラウリルアミノジプロピオン酸ナトリウム、オレイルアミノジプロピオン酸ナトリウム等のアミノ酸型両性界面活性剤が挙げられる。
【００１８】
（Ｈ）成分の増粘剤としては、例えば、セルロース・ポリマー（カルボキシメチルセルロースなど）、ポリアクリル酸およびその塩、ポリアクリル酸・マレイン酸コポリマーおよびその塩、ポリビニルアルコール、カルボキシビニルポリマー、植物の粘液からのキサンタン・ガム、グアール・ガムなどの天然ガム、アルギネート、スターチ、多糖類をベースとする増粘剤、ペクチンなどのハイドロコロイド増粘剤等が挙げられる。増粘剤は、本発明の酸性洗浄剤組成物中の濃度が０．０５〜４質量％となる量を添加することが好ましく、０．１〜２質量％となる量を添加することがより好ましく、０．２〜１質量％となる量を添加することがより好ましい。
【００１９】
消泡剤としては、シリコーン、ポリエーテル変性シリコーン、アルキル変性シリコーン、及びこれらのシリコーン物質を使用したシリコーン系エマルション等のシリコーン系消泡剤；ポリエーテル系消泡剤等が挙げられる。これらの消泡剤は、本発明の酸性洗浄剤組成物中の濃度が０．０００１〜１質量％となる量を添加することが好ましく、０．０００３〜０．５質量％となる量を添加することがより好ましい。
【００２０】
有機溶剤としては、例えば、エタノール、プロパノール、ブタノール等の低級アルコール類、エチレングリコール、プロピレングリコール、ブチレングリコール等のグリコール類、グリセリン、ポリグリセリン、ソルビトール等のポリオール類が挙げられる。これらの溶剤は、本発明の酸性洗浄剤組成物中の濃度が、０．００１〜５質量％となる量を添加することが好ましく、０．００５〜１質量％となる量を添加することがより好ましい。
【００２１】
香料としては、例えば、天然香料、合成香料、これらの調合香料等が挙げられる。色素としては、例えば、天然色素、合成色素、これらの混合物が挙げられる。
【００２２】
防腐剤としては、例えば、チアゾリン類、ヒダントイン類や、ヨード−２−プロピニルブチルカーバメイト、イソプロピルメチルフェノール、ヘキサクロロフェン、イルガサン、トリクロサン等が挙げられる。チアゾリン類としては、５−クロロ−２−メチル−４−イソチアゾリン−３−オン、２−メチル−４−イソチアゾリン−３−オン、イソチアゾリン−３−オン、１，２−ベンズイソチアゾリン−３−オン、Ｎ−ｎ−ブチル−ベンズイソチアゾリン−３−オン等が挙げられる。ヒダントイン類としては、１，３−ジメチロール−５，５−ジメチルヒダントイン、１又は３−モノメチロール−５，５−ジメチルヒダントイン、ジメチルヒダントイン、１，３−ジクロロ−５，５−ジメチルヒダントイン、１，３−ジクロロエチルメチルヒダントイン等が挙げられる。これら防腐剤のうち、より好ましいものとしては１，２−ベンズイソチアゾリン−３−オンやイソプロピルメチルフェノールが挙げられる。これらは単独でも２種以上を組み合わせて用いても良い。
【００２３】
本発明の酸性洗浄剤組成物は粉末、顆粒、錠剤等の固体状が好ましく、固体の大きさや硬さを自由に設定出来る。
【００２４】
本発明の酸性洗浄剤組成物は、ガラス、プラスチック、金属等の硬質表面であればいずれの硬質表面においても使用可能であり、浸漬洗浄、ブラシによる手洗浄、発泡装置を用いた泡洗浄等が挙げられ、特にＣＩＰ洗浄（定置洗浄）に用いることがよい。ＣＩＰ洗浄においては、１．水洗浄、２．アルカリ洗浄、３．水すすぎ、４．酸洗浄、５．水すすぎ、６．除菌、７．水すすぎ、という工程を、ＣＩＰ洗浄液の配合成分、汚れの種類や状態に応じて、一部の工程が省略されたり、順序が変更されたり、あるいは同じ工程が繰り返し実施されるもので、本発明の酸性洗浄剤組成物は、４．酸性洗浄工程に用いることが出来る。本発明の酸性洗浄剤組成物を使用する場合は、ＣＩＰ洗浄する設備の種類や汚れの程度に応じ、（Ａ）成分の濃度が０．０１〜５質量％になるように希釈して用いるが、（Ａ）成分濃度が０．０３〜３質量％がより好ましく、０．０５〜１質量％が更に好ましい。希釈には水又は湯が用いられるが、１０〜１３０℃の水溶液として酸性洗浄工程に用いることが好ましい。
【実施例】
【００２５】
以下、実施例を挙げて本発明を更に詳細に説明する。
実施例１〜９０、比較例１〜１１
表１〜１０に示す配合の酸性洗浄剤組成物を調製した。また各酸性洗浄剤組成物について、スケール洗浄性、デンプン洗浄性、金属腐食防止性、ゴムパッキン適合性を試験した。結果を表１〜１０に併せて示す。尚、表中における実施例および比較例の配合の数値は純分の質量％を表す。
【００２６】
（Ａ）成分
Ａ−１：クエン酸（商品名がクエン酸（無水）、磐田化学工業社製）
【００２７】
（Ａ’）成分［（Ａ）成分以外の酸成分］
Ａ’−１：硝酸
Ａ’−２：硫酸
Ａ’−３：塩酸
Ａ’−４：スルファミン酸
Ａ’−５：イセチオン酸
Ａ’−６：リン酸
Ａ’−７：メタンスルホン酸
【００２８】
（Ｂ）成分
Ｂ−１：硫酸ナトリウム（商品名が中性無水芒硝（無水）、日本化学工業社製）
【００２９】
（Ｃ）成分
Ｃ−１：ポリオキシエチレン−ポリオキシプロピレンブロックポリマー１（商品名がアデカプルロニックＬ−４４（純分１００％）、ＡＤＥＫＡ社製）
Ｃ−２：ポリオキシアルキレンラウリルエーテル（商品名がアデカトールＬＢ−８３（純分１００％）、ＡＤＥＫＡ社製）
Ｃ−３：ポリオキシアルキレンジアルキルエーテル（商品名がプルラファックＬＦ４３１（純分１００％）、ＢＡＳＦジャパン社製）
Ｃ−４：Ｎ，Ｎ−ジポリオキシアルキレン−Ｎ−三級アルキル（Ｃ１２〜１４）アミン（商品名がトライトンＣＦ−３２（純分９５％）、ダウケミカル社製）
Ｃ−５：ポリオキシエチレン−ポリオキシプロピレンブロックポリマー２（商品名がアデカプルロニック２５Ｒ−２（純分１００％）、ＡＤＥＫＡ社製）
Ｃ−６：ポリオキシアルキレン分岐デシルエーテル１（商品名がノイゲンＸＬ−４０（純分１００％）、第一工業製薬社製）
Ｃ−７：ポリオキシアルキレン分岐デシルエーテル２（商品名がノイゲンＸＬ−１００（純分１００％）、第一工業製薬社製）
Ｃ−８：ポリオキシアルキレン分岐デシルエーテル３（商品名がノイゲンＸＬ−４００（純分１００％）、第一工業製薬社製）
Ｃ−９：ポリオキシエチレンオレイルセチルエーテル（商品名がノイゲンＥＴ−１５９（純分１００％）、第一工業製薬社製）
Ｃ−１０：ポリオキシアルキレントリデシルエーテル（商品名がノイゲンＴＤＸ−８０Ｄ（純分１００％）、第一工業製薬社製）
【００３０】
（Ｄ）成分
Ｄ−１：アミノトリ（メチレンホスホン酸）５ナトリウム（商品名がディクエスト２００６（純分１００％）、サーモフォスジャパン社製）
Ｄ−２：２−ホスホノブタン−１，２，４−トリカルボン酸（商品名がベルクレン６５０（純分５０％）、ＢＷＡ社製）
Ｄ−３：１−ヒドロキシエチリデン−１，１−ジホスホン酸（商品名がベルクレン６６０ＬＡ（純分６０％）、ＢＷＡ社製）
【００３１】
（Ｅ）成分
Ｅ−１：アルファオレフィンスルホン酸ナトリウム（商品名がネオゲンＡＯ−９０（純分９０％）、三洋化学工業社製）
Ｅ−２：ポリオキシエチレンアルキルエーテル硫酸ナトリウム（商品名がサンデットＥＮＤ（純分２５％）、三洋化学工業社製）
Ｅ−３：２級アルカン（平均炭素数１６）スルホン酸ナトリウム（商品名がメルソラートＨ９５（純分９５％）、ランクセス社製）
Ｅ−４：ベンゼンオキシビステトラプロピレンスルホン酸ナトリウム（商品名がダウファックス２Ａ１（純分４６％）、ダウケミカル社製）
Ｅ−５：ポリオキシエチレンラウリルエーテル酢酸ナトリウム（商品名がアキポＲＬＭ−４５ＮＶ（純分２３．５％）、エチレンオキサイド平均付加モル数４．５、花王社製）
【００３２】
（Ｆ）成分
Ｆ−１：塩化ヘキサデシルトリメチルアンモニウム（商品名がリポカード１６−２９（純分２９％）、ライオン・スペシャリティ・ケミカルズ社製）
Ｆ−２：塩化アルキル（炭素数が８〜１８）ジメチルベンジルアンモニウム（商品名がリポカードＣＢ−５０（純分５０％）、ライオン・スペシャリティ・ケミカルズ社製）
Ｆ−３：ジオクチルジメチルアンモニウムクロライド（商品名がバーダックＬＦ−８０（純分８０％）、ロンザジャパン社製）
Ｆ−４：塩化アルキルジメチルヒドロキシエチルアンモニウム（商品名がＰＲＡＥＰＡＧＥＮ  ＨＹ（純分４０％）、クラリアントジャパン社製）
【００３３】
（Ｇ）成分
Ｇ−１：β−ラウリルアミノプロピオン酸ナトリウム（商品名がレボンＡＰＬ（純分２９％）、三洋化成工業社製）
Ｇ−２：ラウリルアミノジプロピオン酸ナトリウム（商品名がＴＳＦ−７５（純分３０％）、築野食品工業社製）
Ｇ−３：ラウリルジメチルアミンオキシド（商品名がＧＥＮＡＭＩＮＯＸ  Ｋ−１２（純分３２％）、グローバル・アミンズ・ジャパン社製）
Ｇ−４：ミリスチルジメチルアミンオキシド（商品名がＧＥＮＡＭＩＮＯＸ  ＭＹ（純分２３％）、グローバル・アミンズ・ジャパン社製）
【００３４】
（Ｈ）成分
Ｈ−１：ポリアクリル酸１（重量平均分子量が１００，０００、商品名がＳｏｋａｌａｎＰＡ８０Ｓ（純分３５％）、ＢＡＳＦジャパン社製）
Ｈ−２：ポリアクリル酸２（重量平均分子量が４，０００、商品名がＳｏｋａｌａｎＣＰ１０Ｓ（純分５０％）、ＢＡＳＦジャパン社製）
Ｈ−３：アクリル酸・マレイン酸コポリマー（重量平均分子量が３，０００、商品名がＳｏｋａｌａｎＣＰ１２Ｓ（純分５０％）、ＢＡＳＦジャパン社製）
Ｈ−４：塩化ジアリルジメチルアンモニウムのホモポリマー（重量平均分子量が４０，０００、商品名がＰＡＳ−Ｈ−５Ｌ（純分２８％）、日東紡社製）
Ｈ−５：塩化ジアリルジメチルアンモニウム／マレイン酸（６０／４０（モル比））のコポリマー（重量平均分子量が１,７００，０００）
【００３５】
【表１】
2017095546.tif 000002
【００３６】
【表２】
2017095546.tif 000003
【００３７】
【表３】
2017095546.tif 000004
【００３８】
【表４】
2017095546.tif 000005
【００３９】
【表５】
2017095546.tif 000006
【００４０】
【表６】
2017095546.tif 000007
【００４１】
【表７】
2017095546.tif 000008
【００４２】
【表８】
2017095546.tif 000009
【００４３】
【表９】
2017095546.tif 000010
【００４４】
【表１０】
2017095546.tif 000011
【００４５】
※１：スケール洗浄性試験
２００ｍＬビーカーに、酸性洗浄剤組成物を、表に示す所定濃度にイオン交換水で希釈した水溶液１００ｍＬを調製し、そこに炭酸カルシウム０．４ｇを添加して２０分間攪拌した。
炭酸カルシウムの溶解性の良いものほどスケール溶解性が良いものとして、以下の基準でスケール洗浄性を評価し、△、○、◎の評価のものをスケール洗浄性において実用性のあるものとして判定した。
スケール洗浄性評価基準
◎：６０％以上溶解した。
○：４０％以上、６０％未満溶解した。
△：２０％以上、４０％未満溶解した。
×：２０％未満溶解した。
【００４６】
※２：デンプン洗浄性試験
米デンプンをイオン交換水に１０質量％となるように希釈し、８０℃で１５分間攪拌し糊化させた。この米デンプン液５００ｍｇを、ステンレス片（６ｃｍ×７ｃｍの長方形、厚さ１ｍｍのＳＵＳ３１６片）に塗布し、室温にて乾燥させたものをデンプン汚れ試験片とした。この試験片を１質量％に希釈した酸洗浄剤組成物３００ｍＬに浸漬し、６０℃で２０分間放置した後、イオン交換水ですすぎ、室温で乾燥した後、０．１％よう素液に浸漬し、よう素呈色した着色部分の面積（Ｓ１）を測定した。初期の汚染面積（Ｓ０）から、下式により洗浄率を求め、以下の基準で評価した。
洗浄率（％）＝｛（Ｓ０−Ｓ１）／Ｓ０｝×１００
デンプン洗浄性試験評価基準
○：洗浄率が８０％以上。
△：洗浄率が７０％以上８０％未満。
×：洗浄率が７０％未満。
とし、△、○を実用性のあるものとして判定した。
【００４７】
※３：ゴムパッキン適合性試験
イオン交換水で希釈した各酸性洗浄剤組成物の１０質量％水溶液５０ｍＬを１００ｍＬのキャップ付きポリエチレン製容器に入れ、このポリエチレン製容器にＥＰＤＭゴムパネル（入間川ゴム株式会社製、縦×横×厚み＝５０ｍｍ×２５ｍｍ×２ｍｍ（体積２５００立方ミリメートル））またはＮＢＲゴムパネル（入間川ゴム株式会社製、縦×横×厚み＝５０ｍｍ×２５ｍｍ×２ｍｍ）を全体が浸るように入れ、キャップをする。９０℃に昇温した後、同温度に保持して２４時間静置後、ゴムパネルを取り出し、流水で洗浄した。１０５℃で３時間乾燥した後の外観変化を目視にて判断し、以下の基準で評価した。△、○の評価のものを実用性のあるものとして判定した。
ゴムパッキン適合性評価基準：
○：硬化、ヒビ割れ、膨張などの外観変化が見られない。
△：硬化、ヒビ割れ、膨張などの外観変化が若干見られるが、使用は可能。
×：硬化、ヒビ割れ、膨張などの外観変化が見られる。
【００４８】
※４：金属腐食防止性試験
イオン交換水で希釈した各酸性洗浄剤組成物の１０質量％水溶液８０ｍＬを１００ｍＬキャップ付きポリ瓶に入れ、このポリ瓶にＳＵＳ３０４パネルまたはＳＵＳ３１６パネルを半分程度が浸るように入れ、キャップをする。９０℃に昇温した後、同温度に保持して２４時間静置後、ＳＵＳパネルを取り出し、流水で洗浄した後、ＳＵＳパネルの、水溶液につかっていた浸漬部、水溶液と空気との境の喫水線部、空気中に表出していた気相部の腐食の有無を目視にて確認し、以下の基準で金属腐食防止性を評価した。△、○の評価のものを実用性のあるものとして判定した。
金属腐食防止性評価基準：
○：浸漬部、喫水線部、気相部の何れにおいても変化が見られない。
△：浸漬部、喫水線部、気相部の何れかで若干の腐食が見られるが、使用は可能。
×：浸漬部、喫水線部、気相部の何れかで腐食が見られる。